(57)【要約】【課題】地上波デジタル放送の受信地域が変わっても、ユーザが選局後速やかに番組を再生する受信装置及び受信方法を提供する。【解決手段】本発明の受信装置は、チャンネルの周波数毎に異なる伝送パラメータ（２１２）を抽出する機能を有し、伝送パラメータに基づいてデジタル信号を受信する受信部（１１２）、伝送パラメータと、伝送パラメータを管理する管理情報とを保持する記憶部（１１６）、及びチャンネルの伝送パラメータが記憶部に有るか否かを判断し、記憶部に伝送パラメータが有れば管理情報に基づいて伝送パラメータを選択し、選択した伝送パラメータを受信部に設定し、記憶部に伝送パラメータが無ければまず伝送パラメータを抽出するように受信部を制御して、抽出した伝送パラメータを受信部に設定し、且つ抽出した伝送パラメータを管理情報と共に記憶部に書き込む制御部（１１７）、を有する。【選択図】図１
2007124320.tif 000002
【特許請求の範囲】
【請求項１】
放送局のチャンネルの周波数毎に異なる伝送パラメータを抽出する機能を有し、伝送パラメータに基づいてデジタル信号を受信する受信部、
前記受信部が抽出した伝送パラメータを、前記伝送パラメータを管理する管理情報と共に保持する記憶部、及び
チャンネルの選局指示が入力されると、前記チャンネルの伝送パラメータが前記記憶部に有るか否かを判断し、前記記憶部に前記伝送パラメータが有れば前記管理情報に基づいて前記伝送パラメータを選択し、選択した前記伝送パラメータを前記受信部に設定し、前記記憶部に前記伝送パラメータが無ければまず伝送パラメータを抽出するように前記受信部を制御して、抽出した前記伝送パラメータを前記受信部に設定し、且つ抽出した前記伝送パラメータを前記管理情報と共に前記記憶部に書き込む制御部、
を有することを特徴とする受信装置。
【請求項２】
前記管理情報は、前記受信部が前記伝送パラメータに基づいてデジタル信号を受信することができたか否かを示すフラグを含み、
前記制御部は、前記フラグがデジタル信号を受信することができたことを示している前記伝送パラメータを優先して選択することを特徴とする請求項１に記載の受信装置。
【請求項３】
前記受信装置の位置情報を自動で受信する位置情報処理部を更に有し、
前記管理情報は、前記受信部が前記伝送パラメータを抽出した時の前記位置情報を含み、
前記制御部は、現在の位置情報に近い位置情報に対応する伝送パラメータを優先して選択することを特徴とする請求項１又は請求項２に記載の受信装置。
【請求項４】
前記管理情報は、前記伝送パラメータの新旧を示す更新情報を含み、
前記制御部は、前記更新情報の新しい伝送パラメータを優先して選択することを特徴とする請求項１から請求項３のいずれかの請求項に記載の受信装置。
【請求項５】
前記記憶部に、予めデフォルトの伝送パラメータを記憶しておくことを特徴とする請求項１から請求項４のいずれかの請求項に記載の受信装置。
【請求項６】
前記受信装置はＩＣカードであることを特徴とする請求項１から請求項５に記載の受信装置。
【請求項７】
放送局のチャンネルの選局指示が受信装置に入力されると、選局指示された前記チャンネルの伝送パラメータが前記受信装置に有るか否かを判断し、
前記伝送パラメータが無ければ、前記伝送パラメータを抽出するステップ、抽出された前記伝送パラメータを用いてデジタル信号を受信するステップ、及び抽出された前記伝送パラメータを、前記伝送パラメータを管理する管理情報と共に、前記受信装置に格納するステップ、を有し、
前記受信装置に前記伝送パラメータが有れば、前記管理情報に基づいて前記伝送パラメータを選択するステップ、及び選択した前記伝送パラメータを用いてデジタル信号を受信するステップ、
を有することを特徴とする受信方法。
【請求項８】
前記管理情報は、前記伝送パラメータに基づいてデジタル信号を受信することができたか否かを示すフラグを含み、
前記フラグがデジタル信号を受信することができたことを示している前記伝送パラメータを優先して選択することを特徴とする請求項７に記載の受信方法。
【請求項９】
受信装置の位置情報を自動で受信するステップ、を更に有し、
前記管理情報は、前記受信装置が前記伝送パラメータを取得した時の前記位置情報を含み、
現在の位置情報に近い位置情報に対応する伝送パラメータを優先して選択することを特徴とする請求項７又は請求項８に記載の受信方法。
【請求項１０】
前記管理情報は、前記伝送パラメータの新旧を示す更新情報を含み、
前記更新情報の新しい伝送パラメータを優先して選択することを特徴とする請求項７から請求項９のいずれかの請求項に記載の受信方法。
【発明の詳細な説明】
【技術分野】
【０００１】
本発明は、地上波デジタル放送を受信する受信装置及び受信方法に関する。
【背景技術】
【０００２】
近年、地上波デジタル放送が開始され、地上波デジタル放送を受信する受信装置が市場に普及してきている。地上波デジタル放送の伝送においては、規格により複数の伝送パラメータが用意されている。受信装置では、受信地域又は各放送局毎に異なる伝送パラメータをチューナに設定してから地上波デジタル放送信号を受信しないと、受信した信号を正しく復調・復号することができず、番組を視聴できない。そのため、地上波デジタル放送を視聴する場合、まず視聴したい放送局の伝送パラメータを受信装置のチューナに設定しておく必要がある。
【０００３】
上記の伝送パラメータは、受信装置が初期同調を成功した後に、受信装置が受信する信号の中から取得できる。そのため、初期同調を速やかに成功させることが重要である。特開２００２−２１８３３９号公報に、初期同調を速やかに成功させる従来の受信装置（デジタル放送受信機）が開示されている。
【０００４】
従来の受信装置は、予め事前に告知された全国各地の受信周波数と伝送パラメータとを記憶しておき、ユーザが受信地域を入力することによって、対応する伝送パラメータをチューナに設定し、初期同調・復調動作を開始している。初期同調が成功すると、受信した信号の中から伝送パラメータを抽出し、記憶している伝送パラメータを更新している。
【特許文献１】特開２００２−２１８３３９号公報
【発明の開示】
【発明が解決しようとする課題】
【０００５】
従来の受信装置は、例えば家庭用のデジタルテレビ等のように据え置き用が主であったが、近年携帯用の受信装置でも地上波デジタル放送が受信できるように開発されつつある。例えば、携帯用の受信装置として、地上波デジタル放送信号の受信機能を搭載した携帯電話やＰＤＡ（Personal Digital Assistants）等が実現されようとしている。
【０００６】
据え置き用の受信装置は受信地域を移動しないため、初期同調において一度受信地域内の伝送パラメータを抽出してチューナに設定すればよく、その後伝送パラメータを抽出し直す必要はなかった。
【０００７】
しかし、携帯用の受信装置の場合、視聴しようとする場所がその都度変わる。視聴できる放送局は受信地域によって異なるため、受信装置を携帯し場所を移動して使用する場合、デジタル放送を視聴しようとする度に、新たに伝送パラメータを抽出しなければならない。伝送パラメータは受信した信号の中から抽出するため、チューナに設定するまでに時間がかかる。そのため、ユーザが選局指示を行ってから、放送局の番組を再生するまでにかなりの時間がかかってしまうという問題があった。
【０００８】
本発明は、受信地域がその都度変わっても、ユーザが放送局を選局後、速やかに番組を再生できる受信装置及び受信方法を提供することを目的とする。
本発明は、ユーザが移動しながら番組を視聴し、受信地域が変わった場合に、移動先の受信地域の伝送パラメータを自動で設定する受信装置及び受信方法を提供することを目的とする。
【課題を解決するための手段】
【０００９】
上記課題を解決するため、本発明は下記の構成を有する。
本発明の受信装置は、放送局のチャンネルの周波数毎に異なる伝送パラメータを抽出する機能を有し、伝送パラメータに基づいてデジタル信号を受信する受信部、前記受信部が抽出した伝送パラメータを、前記伝送パラメータを管理する管理情報と共に保持する記憶部、及びチャンネルの選局指示が入力されると、前記チャンネルの伝送パラメータが前記記憶部に有るか否かを判断し、前記記憶部に前記伝送パラメータが有れば前記管理情報に基づいて前記伝送パラメータを選択し、選択した前記伝送パラメータを前記受信部に設定し、前記記憶部に前記伝送パラメータが無ければまず伝送パラメータを抽出するように前記受信部を制御して、抽出した前記伝送パラメータを前記受信部に設定し、且つ抽出した前記伝送パラメータを前記管理情報と共に前記記憶部に書き込む制御部、を有する。
【００１０】
この発明によれば、伝送パラメータは新たに抽出される度に、管理情報と共に記憶部に格納される。一度抽出した伝送パラメータは、次回以降の地上波デジタル放送のデジタル信号の受信を行うときに、再度抽出される必要がなくなる。つまり、視聴の度に伝送パラメータを抽出する必要がなくなる。それゆえ、受信地域を移動した場合であっても、ユーザが選局の指示を出してから短時間で地上波デジタル放送を再生する受信装置を実現できる。「管理情報」とは、記憶部に格納される１以上の伝送パラメータを管理するための情報である。
【００１１】
好ましくは、前記管理情報は、前記受信部が前記伝送パラメータに基づいてデジタル信号を受信することができたか否かを示すフラグを含み、前記制御部は、前記フラグがデジタル信号を受信することができたことを示している前記伝送パラメータを優先して選択する。
【００１２】
フラグが例えば１ビットの場合、フラグが０のとき、記憶部に記憶されている伝送パラメータを用いて実際にデジタル信号を受信することに成功したことを示し、１のとき、記憶部に記憶されている伝送パラメータを用いてデジタル信号の受信に成功しなかったことを示す。この発明は、記憶部に格納されている１以上の伝送パラメータの中から、実際にデジタル信号の受信に成功した伝送パラメータをフラグで見分けて、次回以降も利用するため、記憶部に格納されている伝送パラメータを用いてチューナを設定しデジタル放送を受信するのに成功する確率が高くなる。
【００１３】
上記の受信装置は、前記受信装置の位置情報を自動で受信する位置情報処理部を更に有し、前記管理情報は、前記受信部が前記伝送パラメータを抽出した時の前記位置情報を含み、前記制御部は、現在の位置情報に近い位置情報に対応する伝送パラメータを優先して選択しても良い。
【００１４】
この発明によれば、伝送パラメータを抽出した時の位置情報を伝送パラメータと共に記憶部に格納するため、記憶部に格納されている１以上の伝送パラメータの中から、現在の位置に最も近い位置で地上波デジタル放送信号の受信に成功したことのある伝送パラメータを選択することができる。そのため、ユーザが移動した場合でも、地上波デジタル放送が途切れることなく番組を視聴し続けることができる。また、受信地域を移動し、視聴できる放送局が変わった場合には、ユーザに新たに選局指示を促すように、映像で表示し及び／又は音声で知らせても良い。
【００１５】
また、前記管理情報が、前記伝送パラメータの新旧を示す更新情報を含み、前記制御部は、前記更新情報の新しい伝送パラメータを優先して選択しても良い。
【００１６】
この発明によれば、記憶部に格納されている１以上の伝送パラメータの中から、更新情報（たとえば更新された日付）に基づいて、日付の新しい伝送パラメータを優先的に選択できるため、記憶部に格納されている伝送パラメータを用いてチューナを設定し、デジタル放送を受信することに成功する確率が更に高くなる。
【００１７】
上記の受信装置において、さらに前記記憶部が、予めデフォルトの伝送パラメータを記憶しておいても良い。
【００１８】
デフォルトの伝送パラメータとは、例えば受信装置を販売する地域で放送している全ての放送局の伝送パラメータであり、受信装置の製造時又は販売時に標準のパラメータとして格納されるものである。この発明によれば、一度も受信したことのない放送局の番組を再生する場合であっても、伝送パラメータを抽出する必要がなくなるため、ユーザが選局の指示を出してから短時間で地上波デジタル放送を再生する受信装置を実現できる。
【００１９】
上記の受信装置は、ＩＣカードであっても良い。
【００２０】
この発明によれば、映像音声出力機能を有しているが無線通信機能を搭載していないホスト機器に、無線通信機能を有するＩＣカード（チューナーカード）を差し込むことによって、そのホスト機器で地上波デジタル放送を視聴できる。ＩＣカードは映像音声出力機能を有しないため、無線通信機能と映像音声出力機能の両方を搭載した受信装置よりも、安価に提供できる。この発明のＩＣカードを汎用のホスト機器に差し込むことにより、地上波デジタル放送を再生する安価な受信装置を提供できる。
【００２１】
本発明の受信方法は、放送局のチャンネルの選局指示が受信装置に入力されると、選局指示された前記チャンネルの伝送パラメータが前記受信装置に有るか否かを判断し、前記伝送パラメータが無ければ、前記伝送パラメータを抽出するステップ、抽出された前記伝送パラメータを用いてデジタル信号を受信するステップ、及び抽出された前記伝送パラメータを、前記伝送パラメータを管理する管理情報と共に前記受信装置に格納するステップ、を有し、前記受信装置に前記伝送パラメータが有れば、前記管理情報に基づいて前記伝送パラメータを選択するステップ、及び選択した前記伝送パラメータを用いてデジタル信号を受信するステップ、を有する。
【００２２】
この発明によれば、一度抽出した伝送パラメータは、次回以降の地上波デジタル放送のデジタル信号の受信に使用されるため、視聴の度に伝送パラメータを抽出する必要がなくなる。そのため、受信地域が変わった場合であっても、ユーザが選局の指示を出してから短時間で地上波デジタル放送を再生する受信方法を実現できる。
【００２３】
前記管理情報が、前記伝送パラメータに基づいて前記デジタル信号を受信することができたか否かを示すフラグを含む場合、前記フラグがデジタル信号を受信することができたことを示している前記伝送パラメータを優先して選択しても良い。
【００２４】
この発明によれば、記憶部に格納されている１以上の伝送パラメータの中から、フラグに基づいて、実際にデジタル信号の受信に成功した伝送パラメータを、次回以降に利用することができるため、記憶部に格納されている伝送パラメータを用いてチューナを設定しデジタル放送を受信することに成功する確率が高くなる。
【００２５】
上記の受信方法において、受信装置の位置情報を自動で受信するステップ、を更に有し、前記管理情報は、前記受信装置が前記伝送パラメータを取得した時の前記位置情報を含む場合に、現在の位置情報に近い位置情報に対応する伝送パラメータを優先して選択しても良い。
【００２６】
この発明は、受信装置を携帯して放送局の受信地域を移動した場合に、受信装置が自動で現在の位置を測定する。そして、記憶部に格納されている１以上の伝送パラメータの中から、現在の位置でデジタル放送の受信に成功したことのある伝送パラメータを用いて、その放送局のデジタル信号を受信できる。そのため、ユーザが移動した場合であっても、地上波デジタル放送が途切れることなく番組を視聴し続けることができる。また、受信地域を移動し、視聴できる放送局が変わった場合には、ユーザに新たに選局指示を促すように、映像で表示し及び／又は音声で知らせても良い。
【００２７】
上記の受信方法において、前記管理情報が、前記伝送パラメータの新旧を示す更新情報を含む場合、前記更新情報の新しい伝送パラメータを優先して選択しても良い。
【００２８】
この発明によれば、記憶部に格納されている１以上の伝送パラメータの中から、更新情報に基づいて、更新された日付の新しい伝送パラメータを優先的に使用できるため、記憶部に格納されている伝送パラメータを用いてチューナを設定しデジタル放送を受信することに成功する確率が更に高くなる。
【発明の効果】
【００２９】
本発明によれば、受信地域がその都度変わっても、ユーザが選局後、速やかに番組を再生できる受信装置及び受信方法を実現できるという有利な効果が得られる。
本発明は、ユーザが番組を視聴している最中に移動して受信地域が変わった場合に、移動先の受信地域の伝送パラメータを自動で設定する受信装置及び受信方法を実現できるという有利な効果が得られる。
【発明を実施するための最良の形態】
【００３０】
以下本発明の実施をするための最良の形態を具体的に示した実施の形態について、図面とともに記載する。
【００３１】
《実施の形態１》
図１〜図５を用いて、本発明の実施の形態１の受信装置及び受信方法を説明する。図１は、本発明の実施の形態１の受信装置の構成を示すブロック図である。本発明の実施の形態１において、受信装置１０１は例えば映像データと音声データの再生機能を有する携帯電話である。本発明の実施の形態１の受信装置１０１は、放送局から送信された映像データ及び／又は音声データを含む地上波デジタル放送信号と、伝送パラメータ等の伝送制御信号とを含む、デジタル信号をアンテナ１１１から受信する。アンテナ１１１の受信したデジタル信号は、放送受信部（受信部）１１２に伝送される。
【００３２】
放送受信部１１２は、アンテナ１１１に接続されたチューナ１２１と、チューナ１２１に接続された復調部１２２とを有する。チューナ１２１及び復調部１２２により、アンテナ１１１の受信するデジタル信号の中から伝送パラメータが抽出される。伝送パラメータとは、日本の地上波デジタル放送の規格（ＩＳＤＢ−Ｔ）により定められた、モード、ガードインターバル長、キャリア変調方式、符合化率、時間インターリーブ長などを含む各種パラメータのことである。
【００３３】
制御部１１７は、受信装置１０１を制御するＣＰＵである。伝送パラメータ保持部１１６は記憶部であり、実施の形態１においては不揮発性メモリである。制御部１１７は、放送受信部１１２により抽出された伝送パラメータを、伝送パラメータ保持部１１６に書きむ。
ユーザが受信装置１０１に視聴を希望するチャンネルを入力すると、制御部１１７は伝送パラメータ保持部１１６に記憶されている伝送パラメータの中からそのチャンネルの周波数を取り出すために必要な情報であるパラメータをチューナ１２１に設定する。
【００３４】
チューナ１２１は、設定されたパラメータに基づいて、アンテナ１１１の受信した地上波デジタル放送信号の中から、ユーザが視聴を希望する特定のチャンネルの周波数を取り出す。
復調部１２２は、チューナ１２１が取り出した周波数の地上波デジタル放送信号に含まれるクロック情報を抽出して、地上波デジタル放送信号を復調し、トランスポートストリーム（ＴＳ）を出力する。
【００３５】
映像・音声デコード処理部１１３は、トランスポートストリーム（ＴＳ）をデコードして、映像データ及び／又は音声データを出力する。地上波デジタル放送信号に含まれる映像データ及び／又は音声データは、それぞれデータ圧縮され、誤り訂正符号化され、シャッフリング（又はスクランブル）されている。映像・音声デコード処理部１１３は、トランスポートストリームを、それぞれデシャッフルし（又はデスクランブルし）、誤り訂正復号化して、映像データ及び／又は音声データを生成する。
【００３６】
映像表示部１１４は例えば液晶ディスプレイであり、映像データを表示する。音声再生部１１５は例えばスピーカであり音声データを再生する。
【００３７】
図２は、伝送パラメータ保持部（記憶部）１１６が記憶するパラメータ情報２０１（２０１（１）〜２０１（３）をまとめて２０１と呼ぶ。）を示す図である。図２に示すように、伝送パラメータ保持部１１６は１つのチャンネル（周波数）に対して、複数のパラメータ情報を記憶することが可能である。
【００３８】
複数の種類（図２では３種類）の伝送パラメータ２１２（１）〜（３）のうち、（１）から（３）のどの伝送パラメータ２１２を採用しているかは各放送局（周波数毎）によって異なるため、パラメータ情報２０１はチャンネル毎に記憶される。図２においては、ＣＨ１３からＣＨ６３に対応するパラメータ情報２０１（１）〜２０１（３）をそれぞれ記憶している。
【００３９】
伝送パラメータ保持部１１６が保持するパラメータ情報２０１は、放送受信部１１２により抽出された伝送パラメータ２１２と各伝送パラメータ２１２に付加されたフラグ２１１とで構成される。
フラグ２１１は、伝送パラメータ２１２（１）〜（３）を用いて、実際に選局したチャンネルの地上波デジタル放送信号を受信することができたか否かを示すための情報である。選局できた場合、フラグ２１１には有効を示す値が書き込まれる。選局できなかった場合、フラグ２１１には無効を示す値が書き込まれる。
【００４０】
実施の形態１においては、伝送パラメータ保持部１１６は、予めデフォルトのパラメータ情報２０１を保持していないため、受信装置１０１が一度も地上波デジタル放送を受信していない場合、伝送パラメータ保持部１１６は１つもパラメータ情報２０１を記憶していない。図２では一例として、伝送パラメータ保持部１１６は、チャンネル毎に３つの伝送パラメータを保持しているが、実際には放送受信部１１２により抽出された数の伝送パラメータ２１２が記憶される。
【００４１】
受信装置１０１に地上波デジタル放送信号のチャンネルの選局指示が入力された時に、伝送パラメータ保持部１１６にそのチャンネルのパラメータ情報２０１が１つも格納されていなければ、放送受信部１１２はアンテナ１１１の受信する信号の中から伝送パラメータ２１２を抽出する。そして、制御部１１７は、抽出した伝送パラメータを、チューナ１２１に設定し、地上波デジタル放送信号を受信する。さらに、制御部１１７はその伝送パラメータ２１２とフラグ２１１を含むパラメータ情報２０１を伝送パラメータ保持部１１６に書き込む。
【００４２】
受信装置１０１に地上波デジタル放送信号のチャンネルの選局指示が入力された時に、伝送パラメータ保持部１１６にそのチャンネルの伝送パラメータ２１２が１つ以上保持されていれば、受信装置１０１は、図３に示す処理を行う。図３は、本発明の実施の形態１の受信方法を示すフローチャートであり、特に伝送パラメータ保持部１１６に伝送パラメータ２１２が１つ以上保持されている場合についての処理を示している。ユーザが受信装置１０１に地上波デジタル放送信号の選局指示を出したときに、制御部１１７は図３のフローチャートに示す制御を行う。以下、図３を用いて、本発明の実施の形態１の受信方法について説明する。
【００４３】
ユーザが受信装置１０１に地上波デジタル放送信号の選局指示を入力すると、制御部１１７は伝送パラメータ保持部１１６が保持しているパラメータ情報２０１を読み出す（ステップ３０１）。制御部１１７は、読み出したパラメータ情報２０１の中に、ユーザが選局したチャンネルに該当する有効なパラメータ情報２０１が有るか否かを判断する（ステップ３０２）。有効なパラメータ情報２０１とは、フラグ２１１が有効を示している伝送パラメータ２１２のことである。選局されたチャンネルに該当する有効なパラメータ情報２０１が無ければ、ステップ３０３に進み、有効なパラメータ情報２０１が有ればステップ３０９に進む。
【００４４】
有効なパラメータ情報２０１が無ければ、制御部１１７から制御を受けて、チューナ１２１はアンテナ１１１が受信する信号の中から、選局されたチャンネルの周波数に該当するデジタル信号を抽出する。復調部１２２によりデジタル信号を復調し、復調された信号の中から伝送パラメータ２１２を抽出する（ステップ３０３）。
【００４５】
制御部１１７は、伝送パラメータ２１２の抽出が成功したか、失敗したかを判断する（ステップ３０４）。伝送パラメータ２１２の抽出に失敗した場合は、地上波デジタル放送信号の受信を行わず、処理を終了する。伝送パラメータ２１２の抽出が成功すれば、制御部１１７は、選局制御を行う（ステップ３０５）。具体的には、その伝送パラメータ２１２の中から必要なパラメータをチューナ１２１に設定する。
【００４６】
制御部１１７は、チューナ１２１の選局が完了したか否か（言い換えると、地上波デジタル放送信号が受信可能か否か）を判断する（ステップ３０６）。ここでもし選局が完了しなかった場合（地上波デジタル放送信号の受信が不可能な場合）は、伝送パラメータ２１２と選局不能であったこと（無効）を示すフラグ２１１を伝送パラメータ保持部１１６に書き込む（ステップ３０７）。選局できなかった場合は、地上波デジタル放送信号の受信を行わずに、図３のフローの処理を終了する。
【００４７】
選局が完了した場合（地上波デジタル放送信号の受信が可能な場合）は、伝送パラメータ２１２と選局可能であったこと（有効）を示すフラグ２１１を伝送パラメータ保持部１１６に書き込む（ステップ３０８）。そして、地上波デジタル放送信号の受信を開始する（ステップ３１３）。
【００４８】
ステップ３０２において、ユーザが選局したチャンネルに該当する有効な伝送パラメータ２１２が伝送パラメータ保持部１１６に有れば、制御部１１７は、その有効な伝送パラメータ２１２に基づいて、選局制御を行う（ステップ３０９）。
【００４９】
制御部１１７は、チューナ１２１の選局が完了したか否か（地上波デジタル放送信号の受信が可能か否か）を判断する（ステップ３１０）。選局が完了しなかった場合は、伝送パラメータ保持部１１６の、その伝送パラメータ２１２に対応するフラグ２１１に選局不能であったこと（無効）を示す値を上書きする（ステップ３１１）。その後、伝送パラメータ２１２の抽出を実行する（ステップ３０３）。
【００５０】
選局が完了した場合（地上波デジタル放送信号の受信が可能な場合）は、伝送パラメータ保持部１１６の、その伝送パラメータ２１２に対応するフラグ２１１に選局可能であったこと（有効）を示す値を上書きする（ステップ３１２）。そして、地上波デジタル放送信号の受信を開始する（ステップ３１３）。
【００５１】
このように、ユーザが選局指示をしたチャンネルに該当する伝送パラメータ２１２が、伝送パラメータ保持部１１６に既に保持されている場合は、伝送パラメータ２１２の抽出を新たに行わなくても、伝送パラメータ保持部１１６に保持されている伝送パラメータ２１２を使用して、地上波デジタル放送を受信することができる。これにより、受信装置１０１は、ユーザが選局指示を出してから、短時間で地上波デジタル放送の再生を開始することができる。例えば、ユーザが受信装置１０１を持ち歩き、各放送局の受信地域を移動した場合であっても、ユーザの指示により受信装置１０１は短時間で伝送パラメータの変更することができる。
【００５２】
更に、本実施の形態によれば、伝送パラメータ２１２はフラグ２１１と共に格納されているため、フラグ２１１が有効を示している伝送パラメータ２１２を優先して選択することができる。これにより、伝送パラメータ保持部１１６に格納されている伝送パラメータを用いて、地上波デジタル放送を受信するのに成功する確率が高くなる。
【００５３】
なお、伝送パラメータ保持部１１６に、有効な伝送パラメータ２１２が複数個格納されている場合は、次のように動作する。ステップ３１０で選局が完了しなかった場合に、順次有効な伝送パラメータ２１２に基づいて選局制御を行い、全ての有効な伝送パラメータ２１２を用いても選局制御が完了しなかった場合にのみ、ステップ３０３の伝送パラメータの抽出を実行する。
なお、フラグ２１１が有効を示す伝送パラメータ２１２が無い場合に、すぐにステップ３０３を実行せず、無効な伝送パラメータ２１２を用いてステップ３０９の選局制御を試しても良い。
【００５４】
《実施の形態２》
図１の受信装置１０１の代わりに、放送受信部１１２と映像・音声デコード処理部１１３とが、別々の機器に搭載されるような構成であっても良い。図４を用いて、実施の形態２の構成について説明する。図４において、図１の受信装置１０１に対応する装置は、チューナーカード（ＩＣカード）４０１と、チューナーカード４０１の挿入スロットを有するホスト機器４０２（例えば、デジタルカメラ）である。図４において、図１に対応する構成要素には同一の符号を付して、重複する説明を省略する。
【００５５】
図４のチューナーカード４０１は、地上波デジタル放送を受信するアンテナ１１１、特定のチャンネルの周波数を取り出して復調する放送受信部１１２、パラメータ情報２０１を保持する伝送パラメータ保持部１１６、放送受信部１１２と伝送パラメータ保持部１１６とを制御する受信制御部４１１、受信制御部４１１と復調部１２２とに接続されたカード制御部４１２を有する。
【００５６】
図４のチューナーカード４０１において、図１にない構成要素は、受信制御部４１１とカード制御部４１２である。本実施の形態においても、放送受信部１１２が伝送パラメータ２１２を抽出する度に、伝送パラメータ２１２はフラグ２１１と共に伝送パラメータ保持部１１６に格納される（図２）。受信制御部４１１は、図１の制御部１１７に代わって、伝送パラメータ保持部１１６に格納されている伝送パラメータ２１２に基づいて放送受信部１１２のチューナ１２１にパラメータを設定する。カード制御部４１２は、復調部１２２から伝送されたトランスポートストリームを、複数の接続線４１５を介して、ホスト機器４０２のインターフェース部４１３に出力する。
【００５７】
ホスト機器４０２は、チューナーカード４０１と複数の接続線４１５を介して接続されるインターフェース部４１３、インターフェース部４１３に接続されたバス４１４、バス４１４に接続された制御部（ＣＰＵ）１１７、制御部１１７とバス４１４とに接続された映像・音声デコード処理部１１３、映像・音声デコード処理部１１３に接続された映像表示部１１４と音声再生部１１５を有する。
【００５８】
図４のホスト機器４０２において、図１にない構成要素は、インターフェース部４１３と、バス４１４である。インターフェース部４１３は、複数の接続線４１５を介して、チューナーカード４０１から伝送されるトランスポートストリームを受信する。バス４１４は、ホスト機器４０２の各ブロックを接続するための接続線であり、インターフェース部４１３から映像・音声デコード処理部１１３にトランスポートストリーム（ＴＳ）を伝送する。
【００５９】
図４の場合、ユーザはホスト機器４０２に選局指示を行う。例えばユーザはチューナーカード４０１をホスト機器４０２に装着し、ホスト機器４０２に付いているボタン等を操作して、視聴したいチャンネルを選局する。ホスト機器４０２の制御部１１７は、選局指示されたチャンネルの情報を含むコマンドを、バス４１４、インターフェース部４１３、及び接続線４１５を介して、チューナーカード４０１のカード制御部４１２に送信する。
【００６０】
チューナーカード４０１のカード制御部４１２は、ホスト機器４０２から送信されたコマンドを受信制御部４１１に伝送する。そして、チューナーカード４０１の受信制御部４１１は、指示されたチャンネルに対応する伝送パラメータが伝送パラメータ保持部６１６にないと判断すれば、新たに伝送パラメータを抽出するよう放送受信部１１２を制御し、指示されたチャンネルに対応する１つ以上の伝送パラメータが伝送パラメータ保持部６１６にあれば、図３のフローチャートに従って動作する。図３については既に説明したので、重複する説明を省略する。
【００６１】
図３の伝送パラメータの処理が完了し、選局されたチャンネルの地上波デジタル放送の受信が開始されると、チューナーカード４０１からホスト機器４０２にトランスポートストリームが伝送される。ホスト機器４０２の映像・音声デコード処理部１１３によってトランスポートストリームがデコードされ、ユーザはホスト機器４０２の映像表示部１１４と音声再生部１１５から出力される映像データ及び／又は音声データを視聴する。
【００６２】
なお、上記の実施の形態１及び実施の形態２においては、伝送パラメータ保持部１１６は、予め、全国の放送局のデフォルトとなるパラメータ情報２０１を保持していなかった。これに代えて、伝送パラメータ保持部１１６は、予めチャンネル毎にデフォルトの伝送パラメータ２１２を保持していても良い。デフォルトの伝送パラメータ２１２にも有効か無効を示すフラグ２１１を有していても良い。その場合、受信装置１０１及びチューナーカード４０１において、放送受信部１１２が伝送パラメータを実際に抽出していない場合であっても、そのデフォルトの伝送パラメータ２１２を用いて、地上波デジタル放送を受信できる。また、ユーザの指示したチャンネルの伝送パラメータが１つ以上伝送パラメータ保持部１１６に格納されている場合には、図３に代えて図５のフローチャートに従って、伝送パラメータに関連する処理を行う。図５は、ステップ５０９が追加された点が、図３のフローチャートと異なる。
【００６３】
受信装置１０１の制御部１１７、及びチューナーカード４０１の受信制御部４１１は、ステップ３０２で選局指示されたチャンネルの有効なパラメータが伝送パラメータ保持部１１６に存在しなかった場合、予め定められたデフォルトの伝送パラメータに基づいて選局制御を行う（ステップ５０９）。制御部１１７及び受信制御部４１１は、選局が完了したか否かを判断し（ステップ３１０）、完了した場合は、ステップ３１２及びステップ３１３に進み、地上波デジタル放送の受信を開始する。選局が完了しなかった場合は、デフォルトの伝送パラメータのフラグに選局不能であったことを示し（ステップ３１１）、新たに伝送パラメータの抽出を行う（ステップ３０３）。図５において、その他のステップについては図３と同一のため、重複する説明を省略する。
【００６４】
このように、予めデフォルトの伝送パラメータを伝送パラメータ保持部１１６に保持しておくことにより、一度も伝送パラメータを抽出していない場合や、有効な伝送パラメータ２１２（実際にその伝送パラメータ２１２に基づいて、地上波デジタル放送の受信を成功したことがある伝送パラメータ）が無かった場合であっても、ステップ３０３の伝送パラメータの抽出を必ず実行する必要はなく、短時間で選局制御を行うことができる。
【００６５】
《実施の形態３》
図６から図１０を用いて、本発明の実施の形態３の受信装置及び受信方法について説明する。図６は、本発明の実施の形態３の受信装置６０１の構成を示すブロック図である。実施の形態３の受信装置６０１は、図１の実施の形態１の受信装置１０１にアンテナ６１１と位置情報処理部６１８を追加した構成である。その他の構成については、図６の実施の形態３の受信装置６０１は、図１の実施の形態１の受信装置１０１と同じである。重複する説明については、省略する。
【００６６】
位置情報処理部６１８は、アンテナ６１１と制御部（ＣＰＵ）１１７とに接続されている。位置情報処理部６１８は、アンテナ６１１を介して、受信装置６０１の位置を測定し、制御部１１７に測定した位置情報を伝送する機能を有する。例えば、本発明の実施の形態３の受信装置６０１は携帯電話であり、位置情報処理部６１８は携帯電話に搭載されているＧＰＳ（Global Positioning System）であり、位置情報は経緯度の数値である。
【００６７】
実施の形態３の伝送パラメータ保持部６１６は実施の形態１と同様に不揮発性メモリであり、放送受信部１１２が伝送パラメータ２１２を抽出する度に、図７に示すパラメータ情報が順次格納される。図７に示すように実施の形態３のパラメータ情報７０１（７０１（１）〜７０１（３）をまとめて７０１と呼ぶ。）は、フラグ２１１と伝送パラメータ２１２と、更に位置情報処理部６１８の測定した位置情報である位置７１１を有する。フラグ２１１と伝送パラメータ２１２は、実施の形態１の図１と同じである。パラメータ情報７０１の位置７１１には、新たに伝送パラメータ２１２を抽出した時の受信装置６０１の位置が書き込まれる。又は、保持している伝送パラメータ２１２を用いて選局した時の受信装置６０１の位置が上書きされる。
【００６８】
本発明の実施の形態３の受信装置６０１は、ユーザによって選局指示されたチャンネルの伝送パラメータ２１１を一つも保持していない場合、まず放送受信部１１２により伝送パラメータを抽出し、抽出した伝送パラメータをチューナ１２１に設定する。そして、地上波デジタル放送信号を受信する。更に、抽出した伝送パラメータをフラグ２１１と位置７１１と共に伝送パラメータ保持部６１６に格納する。
【００６９】
ユーザによって選局指示されたチャンネルの伝送パラメータ２１１が一つ以上伝送パラメータ保持部６１６に格納されている場合、本発明の実施の形態３の受信装置６０１の制御部１１７は、図８のフローチャートに示す制御を行う。図８は、本発明の実施の形態３の受信方法を示すフローチャートであり、特に伝送パラメータ２１１に関連する処理を示している。図８において、図３と同じステップには同一の符号を付し、重複する説明を省略する。図８の実施の形態３の受信方法は、ステップ８０１〜８０３が図３の実施の形態１の受信方法と異なる。
【００７０】
実施の形態３では、位置情報処理部６１８がアンテナ６１１を介して受信装置６０１の位置を測定し、制御部１１７に伝送している。ユーザが地上波デジタル放送の視聴したいチャンネルを入力した場合や、受信装置６０１が放送局の受信地域を移動したことを制御部１１７が検知すると、制御部１１７は伝送パラメータ保持部１１６が保持しているパラメータ情報７０１を読み出す（ステップ３０１）。
【００７１】
制御部１１７は、読み出したパラメータ情報７０１の中に、ユーザが選局したチャンネルの伝送パラメータ２１２であって、現在の位置７１１に該当し（現在の位置７１１に最も近い位置であり）、且つフラグ２１１が有効を示すパラメータ情報が有るか否かを判断する（ステップ８０１）。ステップ８０１で該当するパラメータ情報があればステップ３０９に進み、選局制御を行う。
【００７２】
ステップ８０１で該当するパラメータ情報７０１がなければステップ８０２に進む。現在の位置７１１に該当し（現在の位置７１１に近い位置であり）、且つフラグ２１１が無効を示しているパラメータ情報７０１が有るか否かを判断する（ステップ８０２）。有ればステップ３０９に進み、選局制御を行う。
【００７３】
ステップ８０２で該当するパラメータ情報７０１がなければステップ８０３に進む。位置７１１が一致していないパラメータ情報７０１の中に、フラグ２１１が有効を示しているものが有るか否かを判断する（ステップ８０３）。有ればステップ３０９に進み、選局制御を行う。無ければステップ３０３に進み、アンテナ１１１を介して伝送パラメータを抽出する（ステップ３０３）。
【００７４】
このように、実施の形態３の受信方法では、現在の位置７１１に最も近い伝送パラメータ２１２を優先して、ステップ３０９の選局制御を行う。そのためステップ３１０において選局の完了する（受信に成功する）確率が高くなる。
実施の形態３のステップ３０７、３０８、３１１、３１２においては、パラメータ情報７０１にフラグ２１１を書き込むときに、位置情報をパラメータ情報７０１の位置７１１に同時に書き込む。
【００７５】
実施の形態３の受信装置１０１は放送局の受信地域を移動した場合に、自動で移動先の位置７１１に該当する伝送パラメータを使用して、地上波デジタル放送を受信する。これにより、ユーザは番組を視聴中に、受信装置１０１を携帯し移動した場合であっても、映像データ及び／又は音声データが途切れることなく番組を視聴することができる。
【００７６】
なお、受信装置１０１がその位置において受信できる放送局のチャンネル番号をＧＰＳで自動で検出し、表示する機能を有していても良い。例えば、番組を視聴しながら移動している時に、視聴できる放送局が変わった場合には、映像表示部１１４又は音声再生部１１５により、視聴できる新たな放送局やチャンネルを表示して、ユーザに選局の指示を促すようにしても良い。
【００７７】
なお、伝送パラメータ保持部６１６に、特定のチャンネルに対応する伝送パラメータが複数個格納されている場合に、どの伝送パラメータを優先して使用するかは、図８に限定されない。例えば、実施の形態３の受信方法ではステップ８０１からステップ８０３を実行した後にステップ３０３の伝送パラメータの抽出を実行したが、これに代えてステップ８０１の結果がＮｏの場合にステップ３０３を実行するようにしても良い。また、ステップ８０２の結果がＮｏの場合にステップ３０３を実行するようにしても良い。現在の位置７１１に最も近い伝送パラメータから位置の遠い伝送パラメータまで、順に選局制御を試しても良い。
【００７８】
《実施の形態４》
図６の受信装置６０１の代わりに、放送受信部１１２と映像・音声デコード処理部１１３とが、別々の機器に搭載されるような構成であっても良い。図９を用いて、実施の形態４の構成について説明する。図９において、図６の受信装置１０１に対応する装置は、チューナーカード（ＩＣカード）９０１と、チューナーカード９０１の挿入スロットを有するホスト機器４０２（例えば、デジタルカメラ）である。
【００７９】
図９の実施の形態４のチューナーカード９０１は、図４の実施の形態２のチューナーカード４０１に、受信装置１０１の位置情報を受信するアンテナ６１１と、受信装置１０１の位置を測定する位置情報処理部６１８とを追加した構成である。図９の実施の形態４のホスト機器４０２は、図４の実施の形態２のホスト機器４０２と同じである。図９において、図４及び図６に対応する構成要素には同一の符号を付して、重複する説明を省略する。
【００８０】
位置情報処理部６１８は、アンテナ６１１と受信制御部４１１とに接続されている。位置情報処理部６１８は、チューナーカード９０１の位置情報をアンテナ６１１から受信して、受信制御部４１１に伝送する。チューナーカード９０１の放送受信部１１２が新たに伝送パラメータを抽出する度に、伝送パラメータ保持部６１６には、図７に示すパラメータ情報７０１が格納される。ユーザが地上波デジタル放送の視聴したいチャンネルをホスト機器４０２に入力した場合や、チューナーカード９０１が放送局の受信地域を移動したことを受信制御部４１１が検知した場合に、そのチャンネルに該当する伝送パラメータが伝送パラメータ保持部６１６に無ければ、放送受信部１１２は伝送パラメータの抽出を行う。そのチャンネルに該当する伝送パラメータが少なくとも１つあれば、受信制御部４１１は、図８に示す制御を行う。
【００８１】
実施の形態４のチューナーカード９０１は放送局の受信地域を移動した場合に、自動で移動先の位置７１１に該当する伝送パラメータを使用して、地上波デジタル放送を受信する。これにより、ユーザはチューナーカード９０１とホスト機器４０２を携帯し移動した場合であっても、映像データ及び／又は音声データが途切れることなく視聴することができる。
【００８２】
なお、実施の形態３の図６の受信装置６０１と実施の形態４の図９のチューナーカード９０１の伝送パラメータ保持部６１６は、図７のパラメータ情報７０１に代えて、図１０に示すパラメータ情報１００１を保持しても良い。図１０のパラメータ情報１００１は、図７のパラメータ情報７０１に、更新情報である更新１０１１を追加した。更新１０１１は、例えば日付や、伝送パラメータ２１２の新旧がわかるようなカウンタ値である。
【００８３】
図１０のパラメータ情報１００１を用いた場合、図８のステップ８０１において更新１０１１の新しいものを優先的に採用して、選局制御（ステップ３０９）を行う。そして、パラメータ情報１００１を伝送パラメータ保持部６１６に書き込む場合（ステップ３０７、３０８、３１１、３１２）、その日の日付等の更新情報をパラメータ情報１００１の更新１０１１に同時に書き込む。パラメータ情報１００１が更新１０１１を有することにより、伝送パラメータ保持部６１６に格納された伝送パラメータ２１２を用いて、選局の完了する（ステップ３１０）確率が更に高くなる。なお、実施の形態１及び実施の形態２においても、図２のパラメータ情報２０１が更新１０１１を有しても良い。
【産業上の利用可能性】
【００８４】
本発明は、地上波デジタル放送を受信する受信装置及び受信方法に有用である。
【図面の簡単な説明】
【００８５】
【図１】本発明の実施の形態１の受信装置の構成を示すブロック図
【図２】本発明の実施の形態１のパラメータ情報を示す図
【図３】本発明の実施の形態１の受信方法を示すフローチャート
【図４】本発明の実施の形態２の受信装置の構成を示すブロック図
【図５】本発明の実施の形態１及び２の他の受信方法を示すフローチャート
【図６】本発明の実施の形態３の受信装置の構成を示すブロック図
【図７】本発明の実施の形態３のパラメータ情報を示す図
【図８】本発明の実施の形態３の受信方法を示すフローチャート
【図９】本発明の実施の形態４の受信装置の構成を示すブロック図
【図１０】本発明の実施の形態３及び４の他のパラメータ情報を示す図
【符号の説明】
【００８６】
１０１、６０１    受信装置
１１１、６１１    アンテナ
１１２    放送受信部
１１３    映像・音声デコード処理部
１１４    映像表示部
１１５    音声再生部
１１６、６１６    伝送パラメータ保持部
１１７    制御部
１２１    チューナ
１２２    復調部
２０１、７０１、１００１  パラメータ情報
４０１、９０１    チューナーカード
４０２    ホスト機器
４１１    受信制御部
４１２    カード制御部
４１３    インターフェース部
４１４    バス
４１５    接続線
６１８    位置情報処理部
【図１】
2007124320.tif 000003
【図２】
2007124320.tif 000004
【図３】
2007124320.tif 000005
【図４】
2007124320.tif 000006
【図５】
2007124320.tif 000007
【図６】
2007124320.tif 000008
【図７】
2007124320.tif 000009
【図８】
2007124320.tif 000010
【図９】
2007124320.tif 000011
【図１０】
2007124320.tif 000012